【手続補正書】
【提出日】平成18年8月24日(2006.8.24)
【手続補正１】
【補正対象書類名】特許請求の範囲
【補正対象項目名】全文
【補正方法】変更
【補正の内容】
【特許請求の範囲】
【請求項１】
貫通した導通路を有しかつ容器の流入出口を構成する雌部材と、雌部材と一体的に成形され、かつ雌部材の容器内側に存する一方端部に着脱自在に係合して導通路の容器内の開口を閉鎖しうるプラグと、プラグに係合可能な頭部および頭部に連なる棒状部を有し、かつ容器外側に存する他方端部から雌部材の導通路内に抜き差し自在に差込まれる雄部材とを備えており、雄部材の棒状部の端部から頭部近傍まで、貫通した流体通路が形成され、雄部材を雌部材の導通路内に挿入して押し込むことにより、頭部がプラグに係合するとともに、プラグが雌部材の前記一方端部から外れ、流体通路の頭部側開口の少なくとも一部がプラグ及び雌部材により閉鎖されない場所に位置して容器内側から頭部開口及び流体通路を経て容器外側の棒状部の端部に至る流入出口が形成され、さらに雄部材を押し込むことにより、雌部材とプラグとが切り離され、雄部材を引き抜く際に、頭部に係合されているプラグが引き寄せられるとともに、雌部材の前記一方端部に係合させられて導通路の容器内側の開口が閉鎖され、雄部材を引き抜くことにより、雄部材の頭部がプラグから外れるようになされている連結システム。
【請求項２】
雌部材とプラグを一体成形するための連結部材を有し、連結部材に断面積が近傍より小さく形成されている切断部が設けられている請求項１記載の連結システム。
【請求項３】
プラグがアジテータを有し、雌部材の導通路内に雄部材を挿入して、プラグと雄部材を係合させ、雄部材を回転させることにより、アジテータを回転することを特徴とする請求項１または請求項２記載の連結システム。
【請求項４】
雄部材の頭部側開口が雌部材とプラグとを切り離して雄部材を押し込むことにより雌部材で閉鎖されない開口面積を大きくできるよう構成されていることを特徴とする請求項１または請求項２記載の連結システム。
【請求項５】
雄部材を雌部材の導通路に挿入する際、プラグに雄部材が嵌入するときの抗力よりも雌部材とプラグが係合する力が大きくなるよう形成され、雄部材を引き抜く際、プラグが雌部材に係合するときの抗力よりも雄部材とプラグが係合する力が大きくなるよう形成されていることを特徴する、請求項１から請求項４のいずれか一項に記載の連結システム。
【請求項６】
容器に設けられて容器外部から容器内部に通じる導通路が形成されている口部材と、導通路の容器内部側で導通路を閉じるためのプラグとが連結部材を介して一体的に成形されてなる閉栓部材であって、プラグが、容器へ内容物を充填するために導通路に挿入される開栓部材に係合する第１係合部と、口部材に係合する第２係合部とを備え、開栓部材が第１係合部に係合した状態で開栓部材を引き抜くとき、開栓部材が第１係合部から外れるのに要する力よりも第２係合部が口部材と係合するのに要する力が小さく構成され、充填時にプラグの第１係合部に開栓部材が係合した後、連結部材を切断してプラグと口部材とを分離可能に構成され、連結部材が切断された状態で口部材から開栓部材を引き抜く際に、プラグが第２係合部に係合した後に第１係合部から開栓部材が外れるように構成されていることを特徴とする閉栓部材。
【請求項７】
連結部材に断面積が近傍より小さく形成されている切断部が設けられていることを特徴とする、請求項６記載の閉栓部材。
【請求項８】
プラグが、アジテータと、口部材の導通路内に回動自在に挿入される開栓部材に掛止して開栓部材の回動に連れて共に回動するための掛止部とを備えることを特徴とする、請求項６または請求項７記載の閉栓部材。
【請求項９】
開栓部材の頭部側開口が、口部材とプラグとを切り離して開栓部材を押し込むことにより、口部材で閉鎖されない開口面積を大きくできるよう構成されていることを特徴とする請求項６または請求項７記載の閉栓部材。
【請求項１０】
開栓部材を口部材の導通路に挿入する際、プラグの第１係合部に開栓部材が嵌入するときの抗力よりも口部材とプラグの第２係合部が係合する力が大きくなるよう形成されていることを特徴する、請求項６から請求項９のいずれか一項に記載の閉栓部材。
【手続補正２】
【補正対象書類名】明細書
【補正対象項目名】０００３
【補正方法】変更
【補正の内容】
【０００３】
この種の容器での充填方法は、一般的に、予め、パウチを雌部材にヒートシールを行なった後、図１に示すように、雌部材を容器の上部に位置にさせて、把持させ、雄部材の機構を備えたバキュームノズルを雌部材の導通路に挿入して、容器内の脱気を行なう。次に雄部材の機構を備えた充填ノズルにより内容物の充填を行なう。これにより容器内に空気が入らず、空気中の酸素による内容物への影響を抑制できる。また、雌部材２０１とプラグ２０２は結合されている為に、一体成形でき、充填工程においてキャップの取り付け工程を省くことができる。ところが、プラグ２０２が雌部材２０１と一体化されているため、プラグ２０２の上昇できる距離が制限され、雄部材２０１の貫通孔２３４を大きく設けることができない。そのため、高粘度の液体を充填させる場合、充填速度を高速にできず、充填時間が長時間必要であり、生産性が低下する問題点がある。
【手続補正３】
【補正対象書類名】明細書
【補正対象項目名】０００７
【補正方法】変更
【補正の内容】
【０００７】
第１の課題解決手段に係る発明は、貫通した導通路を有しかつ容器の流入出口を構成する雌部材と、雌部材と一体的に成形され、かつ雌部材の容器内側に存する一方端部に着脱自在に係合して導通路の容器内の開口を閉鎖しうるプラグと、プラグに係合可能な頭部および頭部に連なる棒状部を有し、かつ容器外側に存する他方端部から雌部材の導通路内に抜き差し自在に差込まれる雄部材とを備えており、雄部材の棒状部の端部から頭部近傍まで、貫通した流体通路が形成され、雄部材を雌部材の導通路内に挿入して押し込むことにより、頭部がプラグに係合するとともに、プラグが雌部材の前記一方端部から外れ、流体通路の頭部側開口の少なくとも一部がプラグ及び雌部材により閉鎖されない場所に位置して容器内側から頭部開口及び流体通路を経て容器外側の棒状部の端部に至る流入出口が形成され、さらに雄部材を押し込むことにより、雌部材とプラグとが切り離され、雄部材を引き抜く際に、頭部に係合されているプラグが引き寄せられるとともに、雌部材の前記一方端部に係合させられて導通路の容器内側の開口が閉鎖され、雄部材を引き抜くことにより、雄部材の頭部がプラグから外れるようになされている連結システムを提供する。
【手続補正４】
【補正対象書類名】明細書
【補正対象項目名】００１２
【補正方法】変更
【補正の内容】
【００１２】
第６の課題解決手段に係る発明は、容器に設けられて容器外部から容器内部に通じる導通路が形成されている口部材と、導通路の容器内部側で導通路を閉じるためのプラグとが連結部材を介して一体的に成形されてなる閉栓部材であって、プラグが、容器へ内容物を充填するために導通路に挿入される開栓部材に係合する第１係合部と、口部材に係合する第２係合部とを備え、開栓部材が第１係合部に係合した状態で開栓部材を引き抜くとき、開栓部材が第１係合部から外れるのに要する力よりも第２係合部が口部材と係合するのに要する力が小さく構成され、充填時にプラグの第１係合部に開栓部材が係合した後、連結部材を切断してプラグと口部材とを分離可能に構成され、連結部材が切断された状態で口部材から開栓部材を引き抜く際に、プラグが第２係合部に係合した後に第１係合部から開栓部材が外れるように構成されていることを特徴とする閉栓部材を提供する。
【手続補正５】
【補正対象書類名】明細書
【補正対象項目名】００２２
【補正方法】変更
【補正の内容】
【００２２】
第６の課題解決手段に係る発明は、一体成形した口部材とプラグを切り離すことにより、プラグによる制限なく、流体通路の頭部側開口を口部材により閉鎖されない位置に配置でき、充填ノズル等の開栓部材の流体通路の頭部側開口を大きく設けることができ、内容物の容器への充填時間を短縮できる閉栓部材を提供することができるという効果がある。
【手続補正６】
【補正対象書類名】明細書
【補正対象項目名】００２３
【補正方法】変更
【補正の内容】
【００２３】
第７の課題解決手段に係る発明は、開栓部材を差し込むことにより、一体成形した雌部材とプラグを切断部で切り離せるため、第６の課題解決手段に係る発明の効果に加えて、容器の充填工程、もしくはバキューム工程において、小さな力で切断することができ、別途、切断工程、閉栓工程を設ける必要がない閉栓部材を提供する。
【手続補正７】
【補正対象書類名】明細書
【補正対象項目名】００２６
【補正方法】変更
【補正の内容】
【００２６】
第１０の課題解決手段に係る発明は、連結部材が切断された後においても、開栓部材により繰り返しプラグを雌部材から外したり雌部材に嵌めたりでき、プラグによる導通路の開閉を繰り返し行わせることができるという効果がある。
【手続補正８】
【補正対象書類名】明細書
【補正対象項目名】００２８
【補正方法】変更
【補正の内容】
【００２８】
この発明の一実施の形態で用いられる連結システムは、3つの構成要素からなる。雌部材１と、雌部材１に連結しうる雄部材３と、雌部材１を閉鎖するプラグ２である。雌部材１およびプラグ２は、雄部材３との連結部材としてだけでなく、雌部材（口部材）１とプラグ２のみでクロージャー（閉栓部材）としての役割も果たす。雌部材１とプラグ２は、射出成形などの適切な成形により一体のプラスチック部材として製造される。プラスチックとしては、熱可塑性プラスチック、例えば、ポリエチレン、ポリプロピレンなど可撓性を有するものが適している。雄部材３は金属またはプラスチック部材として製造され、減圧脱気用バキュームノズル、充填用ノズル、および充填後に雌部材１に接続するスパウト等の開栓部材であり、雄部材３の構成を備えたものであれば良い。
【手続補正９】
【補正対象書類名】明細書
【補正対象項目名】００３０
【補正方法】変更
【補正の内容】
【００３０】
雌部材１は、液状体用袋１０１に融着や接着等の適宜固定手段で固定される２つの側面を形成するための舟形の基部５と、基部５の一方の側に接する第１フランジ６とその上部の第２フランジ７に挟まれ、充填工程の際、把持具３０１で把持される被把持部８とからなり、基部５の他方の側には、先端に向かって漸次外径が小さくなっているテーパ筒状部９およびテーパ筒状部９の先端と同じ外径の小径部１０からなる開口部１１が形成されている。開口部１１の内周面には環状内方突出部１２が全周にわたって形成されている。環状内方突出部１２の液状体用袋１０１内側に存する開口側には、開口に向かって漸次内径が大きくなっている開口部内面１３が形成されている。各基部５には複数のリブ１４が一体に成形されている。第１フランジ６は第１フランジ６の基部５側の面まで液状体用袋１０１を差し込み固定させるためのものである。
【手続補正１０】
【補正対象書類名】明細書
【補正対象項目名】００３１
【補正方法】変更
【補正の内容】
【００３１】
プラグ２は雌部材１の基部５に接する支柱１５から突出する２本の可撓性連結部材２０を介して雌部材１と一体に成形されてなる。可撓性連結部材２０のうち支柱１５に接続されている部分に切断部１６が形成されている。切断部１６は可撓性連結部材２０や支柱１５よりも細く、容易に雌部材とプラグを切断することができる。また、切断部１６を設けることにより、切断される部位を特定できるので、予め可撓性連結部材２０の切断後の形状を定めることができる。可撓性連結部材２０との連結部分を挟んでプラグ２の一方の側にはスカート部２１が設けられ、他方の側には雌部材１の開口部１１と嵌合することによって開口部１１を閉じる主嵌合部（第２係合部）２２が設けられている。即ち、プラグ２外周の主嵌合部２２に対し、雌部材１の開口部１１が主受容部となっている。主嵌合部２２には、雌部材１の環状内方突出部１２と掛止めされる環状突出部２３が全周にわたり形成され、スカート部２１に向かって、環状凹溝２４、さらに開口部内面１３との隙間を封止する膨出部２５が液密状に嵌り合うように形成されている。さらに雌部材１の開口部１１の端面に液密状に接する停止面２６が形成されている。プラグ２の主嵌合部２２の他方には、全周にわたる環状凹溝２４と開口部１１内面を環状凹溝２４に導くため先端に向けて、漸次外径が小さくなっている傾斜部２７が形成されている。プラグ２の内面には雄部材１の頭部３２と係合する受容部（第１係合部）２8が形成されている。
【手続補正１１】
【補正対象書類名】明細書
【補正対象項目名】００３３
【補正方法】変更
【補正の内容】
【００３３】
この発明の一実施の形態で用いられる連結システムの動作について図を用いて説明する。図９は雌部材の導通路に雄部材を挿入する状態の図１の連結システムの断面図である。図１０はプラグが雄部材と係合している状態の連結システムの断面図である。雌部材１の導通路４内に雄部材３を挿入して押し込む場合、雄部材３の頭部３２がプラグ２の受容部２８に嵌合し、受容部内面２９に雄部材の当接面３３が当接する。
【手続補正１２】
【補正対象書類名】明細書
【補正対象項目名】００３９
【補正方法】変更
【補正の内容】
【００３９】
図１４は本発明のさらに他の実施の形態に係る連結システムの雌部材の正面図、図１５は雌部材の側面図、図１６は雌部材の平面図である。図１７は雌部材のＣ−Ｃ線の断面図であり、図１８は雌部材のＤ−Ｄ線の断面図である。先の実施の形態におけるプラグ２のスカート部２１にアジテータ機構４２を備えている。プラグ２の受容部内面２９に内方突出部４３が掛止め部として少なくとも一つ以上設けられている。アジテータの形状は特に限定されず、フィン状、スクリュウ状など、通常用いられるアジテータ機構のもので良い。
【手続補正１３】
【補正対象書類名】明細書
【補正対象項目名】００４０
【補正方法】変更
【補正の内容】
【００４０】
雌部材１の導通路４内に雄部材３を挿入して押し込む場合、雄部材３の頭部３２がプラグ２の受容部２８に嵌合されるとともに、プラグ２の受容部内面２９に設けられた内方突出部４３が雄部材３の頭部３２の当接面３３に設けられた溝４１内に嵌る。通常、溝４１はプラグの受容部２８に頭部３２を嵌合させる際、プラグ２の受容部２８の空気を抜く働きもする。